(57)【要約】【課題】地球温暖化とともに増える局地的豪雨に耐え都市環境を守る為の強固なコンクリートブロックを使った護岸つくりは欠かせないが、半面水中生物の住み易い変化のある流れや、増水時の避難場所、更に溶存酸素を補う変化に富んだ護岸が無くなり水質環境の悪化が進み、水中生物内の食物連鎖が続かず生態系の変化で河川環境が悪化している為相反する対策を同時に解決する必要がある。【解決手段】  水中生物の巣や寝床用の孔を内側からの摩擦劣化から守る為に、廃塩ビパイプを埋めころし一体形成した、異なる大きさの孔を多数形成した面を持つ異径孔魚床ブロックを設置する際に水流が直接魚床孔内に入り込まないように、水流方向に対して魚床孔の無い面が鋭角に、直線では概ね６０度、カーブでは半径に合わせて調整し鋭角に当たるように連続して敷設し魚床孔に堆積物が入り難く又魚床孔周辺に反転流を作り酸素が溶け込み易くするのこぎり刃型に敷設する。【選択図】図１
2017128992.tif 000002
【特許請求の範囲】
【請求項１】
水中生物の巣や寝床用の孔を持つ四角柱のコンクリートブロックを作る際に、孔の内側からの摩擦劣化から守る為に塩ビパイプを埋めころし一体形成し孔を保護した、異なる孔の大きさを多数形成した面を持つ異径孔魚床ブロック。
【請求項２】
請求項１の異径孔魚床ブロックを製造する際に、四角柱のコンクリートブロックの強度を保つのに必要な躯体の壁寸法を魚床孔から、鉄または塩ビのパイプまたは角材および鉄筋等で井桁状に組んでスペーサーとして使い確保した異径孔魚床ブロック。
【請求項３】
請求項２の異径孔魚床ブロックを製造する際に魚床孔を形成し且つ内側から保護する為の塩ビパイプと隣接する同目的の塩ビパイプとの間にコンクリートが充填出来る寸法を確保するために、魚床孔の全長さからコンクリート躯体壁の寸法を差し引いた長さ以下の寸法の塩ビパイプをスペーサーとして埋めころしした異径孔魚床ブロック。
【請求項４】
請求項３を有した異径孔魚床ブロックを複数を一体化した異径孔魚床ブロック。
【請求項５】
請求項３及び４の異径孔魚床ブロックに滑り止め等の凸凹を配した異径孔魚床ブロック。
【請求項６】
請求項３から５の異径孔魚床ブロックで設置する際に地層や水流の影響で動く可能性がある場合に行う杭補強用の孔を有した異径孔魚床ブロック。
【請求項７】
請求項３から６の異径孔魚床ブロックを設置する際に本流が直接魚床孔内に入り込まないように、本流方向に対して魚床孔の無い面が鋭角に、直線では概ね６０度、カーブでは半径に合わせて鋭角に当たるように調整し、連続したのこぎり刃のように敷設した設置方法。
【請求項８】
請求項３から６で使われる塩ビパイプに廃塩ビパイプを魚床孔形成及び保護材の用途に変えて使うことで廃塩ビパイプのマテリアルリサイクル工程で発生していた温室効果ガスを削減する異径孔魚床ブロック。
【請求項９】
廃塩ビパイプを流体輸送以外の用途に使う為、洗浄し必要寸法に切断し用途変更リサイクルシステムとして利用する
【発明の詳細な説明】
【技術分野】
【０００１】  本発明は、河川等の護岸強化を四角柱のコンクリートブロックを重さと凸凹を生かした積み重ねで行う。河川直線域では魚床用の孔の無い面が本流に対して概ね６０度の鋭角になるように配置しカーブでは半径にに応じた角度で、のこぎり刃のように連続させることで、四角柱の一端が本流方向に突き出す配置を作り出し、本流の水圧の分散化と魚床孔へ直接本流方向が当たることを避ける壁となり、壁裏面は水中生物の繁殖環境の改善に必要な瀞場と、本流に水中生物が出る際の安全なスペースと、水中酸素も得易い反転流などの流れの違いが出来る水中生物に優しく強度の高い護岸にする。
壁裏面のため魚床孔に土砂の堆積や異物の衝突による損傷が少ない。魚床孔を形成する際に塩ビパイプを使い、魚床用のコンクリート孔の内側からの摩擦劣化を無くす保護用に埋めころし利用して総合耐久性を高める。又、廃塩ビパイプを利用し埋めころすことで廃塩ビパイプのマテリアルリサイクル工程で発生していた温室効果ガスを、埋めころした廃塩ビパイプ分全てで軽減を図れる複合的環境改善と護岸の強化を目的とする異径孔魚床ブロックのこぎり刃型敷設護岸工法に関するものである。
【背景技術】
【０００２】近年地球温暖化の影響と思える局地的豪雨が頻発している。しかも想定を超えることが多くなり護岸の補強が急がれている。同時に水中生物の繁殖場所を増やす試みとして魚巣ブロックを組み合わせた擁壁が利用されている。例えば（特許文献１参照）は、護岸用魚巣ブロックの側面の開口部を介して連通された通路は、河川の延長方向に対して斜めに、それゆえ河川の本流に対して斜めに配列されているので、各ブロックの前面の開口部からブロック内に流入した水流は、ブロック列を通り抜ける際に、河川の本流方向に対して斜めに強制的に方向転換せしめられる為、減速せしめられるので、ブロック内に入り込んだ魚は、過大な水流の抵抗を受けることなく、容易に上流へ向かって移動することができるように工夫したものがある。【０００３】  又（特許文献２参照）素焼きの土管や、竹炭、貝殻等表面がざらざらしたものをコンクリートに埋め込み産卵を促すものもある。【０００４】
【特許文献１】  特開平５−３２１２２５
【特許文献２】  特開２００７−１３８６８５
【発明の開示】
【発明が解決しようとする課題】
【０００５】  上掲特許文献１では増水時複雑な流れがブロック内に起こり弱った水中生物が身をひそめる為のスペースを得ることが出来ない等の問題が未解決である。特許文献２は魚巣ブロックは直線部分で水流に対して９０度の巣穴開口でカーブ外側では水流に対して鋭角な巣穴開口になってしまう為、増水時に土砂の堆積や、異物の衝突による損傷などの護岸の強度を下げる問題と幼魚や弱った魚が出入りするには危険が伴う状況が解決されていない欠点がある。又コンクリートで護岸を補強した変化が乏しい護岸壁のために水中の酸素を増やすための反転流ができず、護岸に水中生物が増えても溶存酸素が増えず水質が悪化し食物連鎖が継続しない環境となっている問題が解決されていない。【０００６】  そこで本発明は、上記の従来技術の問題点である、魚巣内の土砂の堆積や、溶存酸素の少ない護岸を改善する為に、直線部分はもちろんカーブ外側においても魚床の孔を水流に対して直接当たらない鈍角で、のこぎり刃型に敷設する。異径孔魚床ブロックの矩形の端部が水流に当たるため反転流ができ水面表面積が増え水中に酸素を取り込み易い状態ができる。水流が直接魚床孔に当たらないため土砂の堆積を防ぐことと漂流物が接岸する可能性も低くできる。更に本発明は護岸強化の一因を作る異常気象の元と言われる温室効果ガスの削減にも貢献する為に、魚床を作る際にコンクリート孔を内側から保護する役割を持たせた塩ビパイプに廃塩ビを使うことで、本来マテリアルリサイクル工程中に排出されていた筈の温室効果ガスが用途変更リサイクルに利用した分排出しなくなるため、総合的な温室効果ガス削減に貢献できる。
【課題を解決するための手段】
【０００７】  魚巣や寝床用の貫通した孔を持つ四角柱のコンクリートブロックを作る際に、孔の内側からの摩擦劣化等から守る為に塩ビパイプを埋めころし一体形成し孔を保護し、異なる孔の大きさを多数形成した面を持つ異径孔魚床ブロックを製造する際に、四角柱のコンクリートブロックの強度を保つのに必要な躯体の壁寸法を魚床孔から、鉄または塩ビのパイプまたは角材および鉄筋等で井桁状に組んでスペーサーとして使い確保し、魚床孔を形成し且つ内側から保護する為の塩ビパイプと隣接する同目的の塩ビパイプとの間にコンクリートが充填出来る寸法を確保するために、魚床孔の全長さからコンクリート躯体壁の寸法を差し引いた長さ以下の寸法の塩ビパイプをスペーサーとして埋めころしし強度を保つ。【０００８】  異径孔魚床ブロックを複数一体化したものや、滑り止め等の凸凹を配したもの、又地層や水流の影響で動く可能性がある場合に行う杭補強用の孔を有したもので補強する。【０００９】  異径孔魚床ブロックを設置する際に本流が直接魚床孔内に入り込まないように、本流方向に対して魚床孔の無い面が鋭角に、直線では概ね６０度、カーブでは半径に合わせて調整し鋭角に当たるように連続してのこぎり刃のように敷設し魚床孔に堆積物が入り難く又魚床孔周辺に反転流を作り酸素が溶け込み易くする。【００１０】  異径孔魚床孔を形成し保護する為に使われる塩ビパイプに廃塩ビパイプを使うことで廃塩ビパイプのマテリアルリサイクル工程で発生していた温室効果ガスの軽減する。【００１１】  廃塩ビパイプを流体輸送以外の用途に使う為、洗浄し必要寸法に切断し用途変更リサイクルとして利用するシステムを構築する
【発明の効果】
【００１２】  護岸補強はコンクリートで整然と補強されながら護岸全体に反転流が生まれ水中酸素が常に補給され水中生物の住みやすい環境が護岸にできる。
各異径孔魚床ブロックには急な増水や異常な暑さの際にも水中生物が逃げ込むことができる巣穴がのこぎり状に連続し成長とともに異径の魚床孔に移動することが可能になる。
異径孔のある面は本流の影響を直接受けない裏側になるため異物やゴミの引っかかる心配も少なく堆積する心配もなく護岸の損傷につながるリスクが少なくなる。
コンクリートブロックの四角柱１ｍ×１ｍ×１ｍ＝１ｍ３の場合の強度と重量を生かした護岸補強で廃塩ビパイプの埋めころし量は最低０．０８ｔ以上とした場合、異径孔魚床ブロックを１個使うことで、０．０８ｔ以上の廃塩ビパイプをマテリアルリサイクル処理工程から温室効果ガスが軽減できる。
【図面の簡単な説明】
【００１３】
【図１】本発明の異径孔魚床ブロックのこぎり刃型敷設護岸工法敷設平面である。
【図２】本発明の異径孔魚床ブロックのこぎり刃型敷設護岸工法敷設立面である。
【図３】本発明の異径孔魚床ブロック用廃塩ビパイプ立配置断面図である。
【図４】本発明の異径孔魚床ブロック用廃塩ビパイプ横配置断面図である。
【図５】本発明の異径孔魚床ブロック（凸凹）付き完成パースである。
【図６】本発明の異径孔魚床ブロック（杭補強）孔付き完成パースである。
【図７】本発明異径孔魚床ブロック複数連結タイプである。
【図８】本発明による異径孔魚床ブロック完成パースである。
【発明を実施するための形態】
【００１４】  以下、本発明における異径孔魚床ブロックの作成と設置を図面３，４に基づいて説明する。仮枠の上部および側面の１か所を開けておき１壁厚確保用のスペーサーを４クランプを使い井桁を形成させ仮枠内にセットする。２コンクリート孔内保護埋めころし塩ビパイプを立ててセットし、３塩ビパイプ間スペーサー短塩ビパイプも立てて、かぶりを確保しながら、２コンクリート孔内保護埋めころし塩ビパイプを既定の数量ランダムに設置する。この最終状態が立断面図３で平面断面が図４となる。
側面の仮枠を固定し２コンクリート孔内保護埋めころし塩ビパイプの上部を仮固定する。適切なコンクリートを外壁面から打ち込み、３塩ビパイプ間スペーサー短塩ビパイプの高さを超えた時点でバイブレーターをかけ、比重の軽い３塩ビパイプ間スペーサー短塩ビパイプを浮き上がらせ、かぶり寸法の安定化と骨材の均等化を図る。塩ビパイプを横にセットしてコンクリートを打設すると、２コンクリート孔内保護埋めころし塩ビパイプの浮き上がりと３塩ビパイプ間スペーサー短塩ビパイプ内に空気の残る可能性と骨材が塩ビパイプ周りに均一化しない問題がある。異径孔魚床ブロックの総合強度の安定性から、２コンクリート孔内保護埋めころし塩ビパイプ立ててセットし、３塩ビパイプ間スペーサー短塩ビパイプも立てて寸法を確保して打設する。この過程で全ての塩ビパイプに廃塩ビパイプを利用することで環境改善の第一歩が始まりより多く埋めころすことで温室効果ガス削減につながる。
【００１５】図８異径孔魚床ブロックの完成パースを基本型にして、改良型の図５凸凹積み崩れ防止タイプ、図６杭補強一部補強タイプ、又図７  複数連結タイプを用意し、護岸や地質、搬入路等考慮して選択できる。
【００１６】  図１は本発明異径孔魚床ブロックのこぎり刃型敷設護岸工法の敷設平面を示す、孔の無い面ｇ１を水流方向ｈ１に対して鋭角ｅ１概ね６０度にセットすることで四角柱の角ｂ１が水流方向ｈ１と最前部で干渉し、反転流ｃ１が出来易い環境が整い水中に酸素を取り込める水面面積が増える。同時に魚床孔ａ１を配する面が孔の無い面ｇ１の水流方向ｈ１に対し裏壁面となる鈍角ｆ１である為、水流方向ｈ１が魚床孔ａ１に直接当たらないようになり、増水時の水中生物の安全を確保する魚床孔ａ１や瀞場ｄ１が出来き、ごみや土砂が魚床孔ａ１に入る確率は極めて低くなる。
【００１７】  このように製造段階で処理の大変な廃塩ビパイプを用途変更リサイクルとしてコンクリート孔の内側の摩擦劣化の保護材として利用すると、魚床として使われる際には滑らかな壁面で土砂が溜り難い構造でメンテナンスサイクルが長く、沢山使えば使うほど各種水中生物の巣となり、廃塩ビパイプのマテリアルリサイクル処理工程で排出されていた温室効果ガスの削減に繋がる。護岸工事に使われることで強度の高い護岸が確保され、同時に溶存酸素が増え続ける反転流が出来る川岸が確保され、魚が安全に暮らせるスペースが確保さ居ついても溶存酸素不足による食物連鎖の崩壊の無い川岸になる。
しかもゴミや土砂の溜り難い形状で異径孔魚床ブロックをセットする為護岸のメンテナンスサイクルも長くなる。
【符号の説明】
【００１８】１    壁厚確保用井桁スペーサー
２    コンクリート孔内側保護埋めころし塩ビパイプ
３    塩ビパイプ間スペーサー短塩ビパイプ
４    クランプ
５    コンクリート躯体
６    接続凸凹
７    補強杭
ａ１  魚床孔
ｂ１  四角柱の角
ｃ１  反転流
ｄ１  瀞場
ｅ１  鋭角
ｆ１  鈍角
ｇ１  孔の無い面
ｆ１  水流方向
【図１】
2017128992.tif 000003
【図２】
2017128992.tif 000004
【図３】
2017128992.tif 000005
【図４】
2017128992.tif 000006
【図５】
2017128992.tif 000007
【図６】
2017128992.tif 000008
【図７】
2017128992.tif 000009
【図８】
2017128992.tif 000010